(57)【要約】      （修正有）【課題】作業性に優れ、底面の取付けボルトに泥などが付着することがないとともに切断力に優れた刈払い機用チップソーを提供する。【解決手段】刃板１の中央部に上面３ａが平坦な短円筒部３を形成し、上面３ａの中心部に取付け孔２を穿設する。短円筒部３の下端に比較的大きなアール面で平面視が円形の突出部４を形成し、突出部４に連続させて外上方に向けた傾斜面５を形成する。傾斜面５の上端は水平方向に折曲させて外周平板部６とし、外周平板部６の外周縁にチップ７を接合する多数の歯型を形成する。短円筒部３の上面３ａと外周平板部６の上面は同一平面上に位置させるのが好ましい。【選択図】図１
0003181616.tif 000002
【実用新案登録請求の範囲】
【請求項１】
刃板の中央部に上面が平坦な短円筒部を形成し、該短円筒部の上面に取付け孔を穿設し下端に比較的大きなアール面で円形の突出部を形成するとともに、該円形の突出部に連続させて外上方に向けた傾斜面を形成し、該傾斜面の上端を水平方向に折曲させて外周平板部を形成し、該外周平板部の外周縁にチップを接合する多数の歯型を形成したことを特徴とする刈払い機用チップソー。
【請求項２】
中央部に形成される短円筒部の上面と、外周平板部の上面を同一平面上に位置させることを特徴とする請求項１記載の刈払い機用チップソー。
【請求項３】
前記外周平板部の幅は、被切断物を取り込むガレットを含む歯型の全体が平面上に形成される幅以上の幅を備えたものであることを特徴とする請求項１又は２記載の刈払い機用チップソー。
【請求項４】
刃板の傾斜面の範囲に複数の貫通孔を穿設したことを特徴とする請求項１ないし３のいずれかに記載の刈払い機用チップソー。
【考案の詳細な説明】
【技術分野】
【０００１】
本考案は、高速で回転駆動をする刈払い機に装着して、雑草や潅木の刈払いを行なう回転刃である刈払い機用チップソーに関する考案である。
【背景技術】
【０００２】
従来の刈払い機用チップソーは、平面的な円板の外周縁にチップを配列しているのが一般的である。円板状のチップソーを刈払い機の回転駆動部に装着するには、チップソーを回転駆動部の所定位置に配置し、ボルトで固定する。このとき、中心部底面に突出するボルトやナットに泥が付着しないようにカップ状のカバーを装着する。このカップ状のカバーはすべり部材として機能し、カバーを接地させて滑らすことによってチップソーを移動させ、円滑に刈払い作業を行うことができる。
従来のチップソーでは、底面に装着するカップ状のカバーが破損し易いとともに、カバーが破損した場合、あるいはカバーを取付けないで作業をするものでは、取付けボルトに泥などが付着するため取扱いに不便である。
【０００３】
平面形状以外のチップソーとして、特許文献１には全体を椀形に形成するチップソーの思想が開示されている。特許文献２には、刃板そのものを中心孔から半径方向の外方に向けて波形とし、上向きの環状凸部と、下向きの環状凸部を形成する思想が、特許文献３には、刈刃の上面又は下面に環状体を接合する思想が開示されている。
【先行技術文献】
【特許文献】
【０００４】
【特許文献１】特開２００１−８６８３２号公報
【特許文献２】実用新案登録第３１２４２２０号公報
【特許文献３】特開２０１２−５５２３０号公報
【考案の概要】
【考案が解決しようとする課題】
【０００５】
特許文献１は、刈払った草が回転軸に巻き付かないことを目的として全体を椀型に形成するものであるが、この構造のチップソーでは、チップが椀型の延長方向（斜め方向）に固定されることになるため、チップソーを水平方向に移動させた場合、雑草などの切断作用がしにくいという欠点があった。したがって、刈払い作業を行う際にチップソーを斜めに傾けて作業を行っていた。
特許文献２に開示されたチップソーは、上向きの環状凸部と下向きの環状凸部を形成することによって強度を向上させ、これにより軽量化できるというものであるが、例えば刃部（チップ）が斜め上方に向かって傾斜しているため、刈払い作業に不便であるという欠点がある。また、特許文献３に記載された刈払い刃の表面に環状体を固着するものでは、製造に手数を要するとともに、環状体そのものが脱落する危険性があった。
【０００６】
上記従来技術の欠点に鑑み、本考案は刈払い作業において、チップソーを移動させる操作性に優れるとともに、チップソー裏面中央の取付けボルト部分に泥などが付着しにくく、保守管理が容易であり、雑草や潅木の切断作業の操作性に優れ、優れた切断機能を発揮する刈払い機用チップソーを実現することを目的とするものである。
【考案の開示】
【課題を解決するための手段】
【０００７】
上記目的を達成するための請求項１記載の本考案は、刃板１の中央部に上面3ａが平坦な短円筒部３を形成する。この、短円筒部３の上面3aに取付け孔２を穿設し、下端に比較的大きなアール面で円形の突出部４を形成する。
円形の突出部４に連続させて外上方に向けて傾斜面５を形成し、該傾斜面５の上端を水平方向に折曲させて外周平板部６を形成する。そして、外周平板部６の外周縁にチップ７を接合する多数の歯型８を形成するものである。
【０００８】
請求項２記載の考案明は、中央部に形成される短円筒部３の上面3ａと、外周平板部６の上面を同一平面上に位置させることである。
請求項３記載の考案は、前記外周平板部６の幅を、被切断物Ａを取り込むガレット９を含む歯型８の全体が平面上に形成される幅以上の幅とすることである。
請求項４記載の考案は、刃板１の傾斜面５の範囲に複数の貫通孔10を穿設することである。
【考案の効果】
【０００９】
請求項１記載の考案によれば、本考案に係るチップソーを刈払い機11の回転駆動部に装着して刈払い作業を行う場合に、図３に示すように刃板１の突出部４を接地させて被切断物Ａに近付けると、歯型８が水平方向を向いているため、例えば直立している被切断物Ａを直角に切断することができる。このため、被切断物を確実に切断することができる。
このとき、刃板１の裏面に突出する取付けボルト12は、短円筒部３の内側に位置する、すなわち突出部４で囲われ、地表面にまで達しないため、取付けボルト12に泥や土が付着する可能性が少なく、また、取付けボルト12が接地しないため刃板を円滑に移動させ、能率的に刈払い作業を行うことができる。
【００１０】
請求項２記載の考案によれば、中央部に形成される短円筒部の上面と、外周平板部の上面を同一平面上に位置するため、チップ７、歯型８に作用する切削力によって上面又は下面に向かう曲げ応力が作用せず、効果的に刈取作業を行うことができる。従来の椀形のチップソーであると、刃板の取付け位置と切削力の作用位置が上下にずれているため上方への曲げ応力が作用し、刈取作用が安定しない。
【００１１】
請求項３記載の考案によれば、歯型８に作用する力、反力は全て外周平板部６の平面方向に作用するため、歯型８やチップ７に斜め方向の力が作用しないため破損することが少なく、円滑に刈払い作業を行うことができる。
請求項４記載の考案によれば、刃板１の傾斜面５の範囲に複数の貫通孔10を穿設するため、刃板１の強度を大きく減じることなく、刃板１の全体を軽量化することができる。また、貫通孔10によって意匠的な趣向を凝らすことができる。
【図面の簡単な説明】
【００１２】
【図１】図１は、本考案に係る刈払い機用チップソーの実施形態を示す縦断面図、
【図２】図２は、図１に示すチップソーの平面図、
【図３】図３は、刈払いの使用状態を示す縦断面図、
【図４】図４は、別の実施形態を示すチップソーの平面図である。
【考案を実施するための最良の形態】
【００１３】
以下、本考案に係る刈払い機用チップソーの実施形態を、添付の図面に基づいて説明する。
図１は、本考案に係る刈払い機用チップソーの実施形態を示す縦断面図、図２は、図１に示すチップソーの平面図である。
【００１４】
本考案は、平面的な円形の刃板材料を、例えば、へら絞り加工やプレス加工によって、図１に示すような立体形状に加工する。
図１に示すチップソーは、刃板１の中央部に上面3aが平坦な短円筒部３を形成する。短円筒部３の上面3aには取付け孔２を穿設し、下端に比較的大きなアール面で円形の突出部４を形成する。円形の突出部４に連続させて外上方に向けた傾斜面５を形成する。図示実施形態においては、傾斜面５を直線的に形成しているが、湾曲面であってもよい。
【００１５】
傾斜面５の上端は、水平方向に折曲させて外周平板部６を形成する。外周平板部６には、多数の歯型８、８、すなわち歯型と歯型の間にガレット９を形成し、歯型８の回転方向の前面にチップ７をロウ付けすることによってチップソーを完成させている。
短円筒部３の高さは、図３に示すように刈払い機の回転駆動部に取付ける取付け部材や取付けボルト12が下方に突出しない高さとする。
【００１６】
上記構成のチップソーは、立体的な形状でありながら外周平板部６が水平方向であることから、歯型８やチップ７の方向が刃板１の回転軸方向に対して直角となり、刃板１の回転力を無駄なく被切断物Ａの切断力として作用させることができる。このことは、潅木などの被切断物Ａに対して刃板１すなわちチップソーを水平方向に移動させることによって円滑に切断することができ、従来の椀形のチップソーのように、チップや歯型が回転軸方向に対して傾斜し、例えば刈払い作業を行うに際して、刃板を斜めに傾ける必要がない。
【００１７】
アール状の突出部４に続く傾斜面５の長さは、特に限定されるものではないが、傾斜面５の上端に形成される外周平板部６と、短円筒部３の上面3aが同一平面上に位置するように、傾斜面５の長さを設定するのが好ましい。このようにすると、図３に示すように、刈払い機の回転駆動部に装着されて駆動される高さ位置と、刈払い作業によって力が作用する歯型８、すなわちチップ７の高さが一致し駆動力が無駄なく刈払い作業に供される。換言すれば、チップを剥離させるような余分な力が作用しない。
【００１８】
傾斜面５の上端に形成される外周平板部６の幅は、被切断物を取り込むガレット９を含む歯型８の全体が平面上に形成される幅以上の幅を備えたものとする。これにより、刃板１が折曲されるにもかかわらず歯型８の一部が傾斜面に含まれるような変形を回避できる。そして、チップに掛かる切断の抵抗力は、無理なく刃板全体で支持される。
【００１９】
本考案に係るチップソーは、短円筒部３と突出部４と傾斜面５及び外周平板部６が連続的に形成される。そのため、強度的に非常に優れたものとなる。その分、板材１の厚みを薄くして軽量化することが可能である。しかしながら、刃板としての強度を保持しながら、より軽量化するには、貫通孔10を穿設することが考えられる。
その際、図４に示すように、大きな面積を占めるとともに、比較的応力が分散される傾斜面５にのみ貫通孔10、10を穿設することによって、丈夫で軽量なチップソーを実現することができる。また、貫通孔10によって意匠的趣向を凝らすことができる。
【００２０】
従来から、平板状のチップソーに貫通孔を穿設することは汎用技術として実施されているが、孔の穿設場所によっては強度の低下を来たす可能性があり、どの範囲に貫通孔を穿設するか一定していない。本考案チップソーでは、突出部４の外方である傾斜面５に限定して貫通孔10を穿設することによって強度的に優れたチップソーを実現することができる。
傾斜面５に穿設する貫通孔10、10の形状は、意匠的な効果と軽量化の効果の両方の面から、円形や円形以外の任意形状の貫通孔を穿設することができる。
【符号の説明】
【００２１】
１…刃板、  ２…取付け孔、  ３…短円筒部、  3a…上面、  ４…突出部、  ５…傾斜面、  ６…外周平板部、  ７…チップ、  ８…歯型、  ９…ガレット、  10…貫通孔、  11…刈払い機、  12…取付けボルト、  Ａ…被切断物。
【図１】
0003181616.tif 000003
【図２】
0003181616.tif 000004
【図３】
0003181616.tif 000005
【図４】
0003181616.tif 000006